(57)【要約】【課題】  複数の製品を収容したトレーを、製品を目視できる状態で安定して積み重ねることを可能にすると共に、製品の減少に伴って不要となった際に容易且つスムーズに取り除くことのできるトレー用仕切体を提供する。【解決手段】  薄底矩形形状のトレー１１の一方の対向する側壁部１５ａと平行に配置される縦仕切板１３と、縦仕切板１３と垂直に交差して配置される一対の横仕切板１４とからなり、トレー１１の収容凹部１６を縦横に区画すると共に、トレーの側壁部１５ａ，１５ｂよりも上方に立設して上段のトレー１１からの荷重を支持するトレー用仕切体１０であって、一対の横仕切板１４は、中央天面板２０を介在させて連続する１枚の板紙２１から形成され、中央天面板２０を上面に配設したコの字形状に折り曲げられて、一対の横仕切板１４が縦仕切板１３と交差して配置される。【選択図】      図２
2006264777.tif 000002
【特許請求の範囲】
【請求項１】
薄底矩形形状のトレーの対向する側壁部の一方と平行に配置される縦仕切板と、該縦仕切板と垂直に交差して配置される横仕切板とからなり、前記トレーの収容凹部を縦横に区画すると共に、前記トレーの側壁部よりも上方に立設して上段のトレーからの荷重を支持するトレー用仕切体であって、
前記横仕切板は、一枚の板紙を折り曲げて当該横仕切板にＬ字状に連接する天面板を備えており、前記横仕切板が前記縦仕切板と交差して配置され、前記天面板が天面部に配置されて支持面を形成するトレー用仕切体。
【請求項２】
前記天面板を備える少なくとも一対の横仕切板が、前記天面板の連接する側を対向させてコの字形状を形成するように配置される請求項１に記載のトレー用仕切体。
【請求項３】
薄底矩形形状のトレーの対向する側壁部の一方と平行に配置される少なくとも1枚の縦仕切板と、該縦仕切板と垂直に交差して配置される少なくとも一対の横仕切板とからなり、前記トレーの収容凹部を縦横に区画すると共に、前記トレーの側壁部よりも上方に立設して上段のトレーからの荷重を支持するトレー用仕切体であって、
前記一対の横仕切板は、中央天面板を介在させて連続する１枚の板紙から形成され、前記中央天面板を天面部に配置したコの字形状に折り曲げられて、前記一対の横仕切板が前記縦仕切板と交差して配置されるトレー用仕切体。
【請求項４】
前記横仕切板の前記天面板又は前記中央天面板と反対側の側縁部には折返し横仕切板が各々連接しており、前記横仕切板と前記折返し横仕切板とを折り重ねた状態で、前記横仕切板が前記縦仕切板と交差して配置される請求項１〜３のいずれかに記載のトレー用仕切体。
【請求項５】
前記縦仕切板は、１枚の板紙を二つ折りに折り重ねて形成される請求項１〜４のいずれかに記載のトレー用仕切体。
【請求項６】
請求項１〜５のいずれかに記載のトレー用仕切体によって区画された収容凹部に各々製品を収容した複数のトレーを縦横に整列配置すると共に、下段のトレー用仕切体によって上段のトレーからの荷重を支持させつつ、前記トレーを複数段に積み重ねて構成されるトレー段積構造。
【請求項７】
請求項１〜５のいずれかに記載のトレー用仕切体によって区画された収容凹部に各々製品を収容した複数のトレーを、パレット上に縦横に整列配置すると共に、下段のトレー用仕切体によって上段のトレーからの荷重を支持させつつ、前記トレーをパレット上に複数段に積み重ねて載置し、最上段のトレー用仕切体によって上段のパレットからの荷重を支持させつつ、前記トレーを載置した前記パレットを複数段に積み重ねて構成されるトレー段積構造。
【発明の詳細な説明】
【技術分野】
【０００１】
本発明は、トレー用仕切体及びトレー段積構造に関し、特に、トレーに収容した製品を外部から見える状態で複数段に積み重ねて陳列することを可能にするトレー用仕切体、及び該トレー用仕切体を用いたトレー段積構造に関する。
【背景技術】
【０００２】
複数の製品を収容して搬送するための梱包用の入れ物として、ダンボール箱が多用されている。ダンボール箱は、６面体形状を有しており、搬送時に縦横に並べて整列配置することが容易であると共に、上下に積み重ねて配置することも容易であり、効率良く集積した状態で多数の製品を搬送することを可能にする。また、ダンボール箱に復数の製品を整えて収容したり、製品同士の衝突を防止することを目的として、ダンボール箱の内部を区画する、例えば縦仕切板と横仕切板とからなる各種の仕切体が開発されている（例えば、特許文献１、特許文献２参照）。
【０００３】
さらに、仕切体を利用して、搬送時のみならず、陳列時にも使用できるようにした陳列台兼用のダンボール箱も開発されている（例えば、特許文献３参照）。特許文献３のダンボール箱は、製品を搬送した後に、切離し線に沿ってダンボール箱の下部のトレー状部分を残してこれの上方部分を切り離すと共に、卍形の平断面形状の仕切体で収容部を仕切って積重ね可能な製品陳列用のトレーとするものである。そして、下方のトレーの仕切体に支持させつつ、上方のトレーを積み重ねるように配置して製品を陳列できるようになっており、上段のトレーの側壁と下段のトレーの側壁との間の間隔部分から、下段のトレーに収容された製品を容易に目視することを可能にし、また各側壁が低くなっていることから、収容された製品を容易に取り出すことが可能である。
【特許文献１】特開平１１−３０１６４６号公報
【特許文献２】特開平１１−３４８９７１号公報
【特許文献３】実開昭４８−３３７２１号公報
【発明の開示】
【発明が解決しようとする課題】
【０００４】
一方、近年の製品陳列形態の多様化から、複数の製品をダンボール箱や薄底矩形形状のトレーに収容したまま、複数段に積み重ねた状態で例えばパレット上に載置して、多数の製品を一度に陳列可能とする方法が好ましく採用される場合がある。しかしながら、このような陳列方法を採用する場合、ダンボール箱をそのまま使用したのでは製品を外部から目視することができないため、収容された製品を一旦取り出した後に、ダンボール箱を陳列可能な形態に作り替えて製品を収容し直したり、別途準備した陳列用のトレーに移し変える等の作業を必要として、多くの手間がかかることになる。
【０００５】
また、複数の製品を薄底のトレーに収容すると共に、これらのトレーを積み重ねて保管したり運搬したりすることにより、運搬後にそのままの積層状態で製品を目視可能に陳列できるようにすることも考えられるが、製品を収容したトレーを安定した状態で複数段に積み重ねることは困難で、保管や運搬に支障を来す恐れがある。またトレーを複数段に積み重ねた状態を安定させるために他の補強部材等を用いると、陳列した際にこれらが邪魔になって、製品を取り出し難くなると共に、不要になった仕切体や空になったトレーをスムーズに取り除くことができなくなる場合がある。
【０００６】
本発明は、複数の製品を収容したトレーを、製品を目視できる状態で安定して積み重ねることを可能にすると共に、製品の減少に伴って不要となった際に、邪魔にならないように容易且つスムーズに取り除くことのできるトレー用仕切体、及び該トレー用仕切体を用いたトレー段積構造を提供することを目的とする。
【課題を解決するための手段】
【０００７】
本発明は、薄底矩形形状のトレーの対向する側壁部の一方と平行に配置される縦仕切板と、該縦仕切板と垂直に交差して配置される横仕切板とからなり、前記トレーの収容凹部を縦横に区画すると共に、前記トレーの側壁部よりも上方に立設して上段のトレーからの荷重を支持するトレー用仕切体であって、前記横仕切板は、一枚の板紙を折り曲げて当該横仕切板にＬ字状に連接する天面板を備えており、前記横仕切板が前記縦仕切板と交差して配置され、前記天面板が天面部に配置されて支持面を形成するトレー用仕切体を提供することにより、上記目的を達成したものである。
【０００８】
また、本発明は、薄底矩形形状のトレーの対向する側壁部の一方と平行に配置される少なくとも1枚の縦仕切板と、該縦仕切板と垂直に交差して配置される少なくとも一対の横仕切板とからなり、前記トレーの収容凹部を縦横に区画すると共に、前記トレーの側壁部よりも上方に立設して上段のトレーからの荷重を支持するトレー用仕切体であって、前記一対の横仕切板は、中央天面板を介在させて連続する１枚の板紙から形成され、前記中央天面板を天面部に配置したコの字形状に折り曲げられて、前記一対の横仕切板が前記縦仕切板と交差して配置されるトレー用仕切体を提供することにより、上記目的を達成したものである。
【０００９】
さらに、本発明は、上記トレー用仕切体によって区画された収容凹部に各々製品を収容した複数のトレーを縦横に整列配置すると共に、下段のトレー用仕切体によって上段のトレーからの荷重を支持させつつ、前記トレーを複数段に積み重ねて構成されるトレー段積構造を提供することにより、上記目的を達成したものである。
【００１０】
さらにまた、本発明は、上記トレー用仕切体によって区画された収容凹部に各々製品を収容した複数のトレーを、パレット上に縦横に整列配置すると共に、下段のトレー用仕切体によって上段のトレーからの荷重を支持させつつ、前記トレーをパレット上に複数段に積み重ねて載置し、最上段のトレー用仕切体によって上段のパレットからの荷重を支持させつつ、前記トレーを載置した前記パレットを複数段に積み重ねて構成されるトレー段積構造を提供することにより、上記目的を達成したものである。
【発明の効果】
【００１１】
本発明のトレー用仕切体、及び該トレー用仕切体を用いたトレー段積構造によれば、複数の製品を収容したトレーを、製品を目視できる状態で安定して積み重ねることを可能にすると共に、製品を取り出し易くし、かつ、製品の減少に伴って不要となった際に、当該トレー用仕切体を、邪魔にならないように容易且つスムーズに取り除くことができる。
【発明を実施するための最良の形態】
【００１２】
図１及び図２に示す本発明の好ましい第１実施形態に係るトレー用仕切体１０は、矩形形状の底部１９と仕切体１０の高さよりも低い４方の側壁部１５ａ，１５ｂを備える薄底矩形形状のトレー１１に取り付けて用いられ、トレー１１の収容凹部１６を複数の収容部１６ａに区画すると共に、各収容部１６ａに製品として例えば液体洗剤等を封入した複数（本第１実施形態では６本）のプラスチック製のボトル容器１２を収容させるものである。また、このように複数のボトル容器１２を収容したトレー１１を、ボトル容器１２を目視可能にしつつ安定した状態で複数段に積み重ねて保管や搬送、並びに陳列を行えるようにし（図５参照）、且つ陳列時には、ボトル容器１２の減少に伴って不要になった当該仕切体１０や空になったトレー１１をスムーズに取り除くことを可能にして、上段のトレー１１から、ボトル容器１２を順次速やかに取り出せるようにするものである。
【００１３】
そして、本第１実施形態のトレー用仕切体１０は、薄底矩形形状のトレー１１の対向する側壁部１５ａ，１５ｂの一方１５ａと平行に配置される少なくとも1枚（本第１実施形態では１枚）の縦仕切板１３と、この縦仕切板１３と垂直に交差して配置される少なくとも一対（本第１実施形態では一対）の横仕切板１４とからなり、トレー１１の収容凹部１６を縦横に区画すると共に、トレー１１の側壁部１５ａ，１５ｂよりも上方に立設して上段のトレー１１からの荷重を支持するトレー用の仕切体であって、横仕切板１４は、中央天面板２０を介在させて連続する１枚の横仕切用板紙２１から形成され（図３（ｂ）参照）、中央天面板２０を上面に配置したコの字形状に折り曲げられて、横仕切板１４が縦仕切板１３と交差して配置されるようになっている。ここで、一対の横仕切板１４は、横方向の仕切り部分が間隔をおいて２箇所に立設しているものをいう。
【００１４】
また、本第１実施形態では、横仕切板１４の中央天面板２０と反対側の側縁部には折返し横仕切板２２が各々連接しており（図３（ｂ）参照）、横仕切板１４と折返し横仕切板２２とを折り重ねた状態で、横仕切板１４が縦仕切板１３と交差して配置されるようになっている。
【００１５】
本第１実施形態のトレー用仕切体１０を構成する縦仕切板１３は、図３（ａ）に示すように、所定の位置に折り曲げ線２４や切込み２５，２４ａを設けた実質的に矩形形状（正方形も含む）の１枚のダンボール製の縦仕切用板紙２３を用いて形成されている。すなわち、縦仕切用板紙２３には、図３（ａ）において上下に配置された対向する一対の辺２３ａと平行に延設して、例えば半切れ線からなる折り曲げ線２４が中央を横断して当該縦仕切用板紙２３を２分割するように設けられている。折り曲げ線２４を介して縦仕切用板紙２３を折り曲げることにより、縦仕切板１３は、縦仕切用板紙２３を二つ折りに折り重ねて形成されることになる（図１参照）。なお、縦仕切板１３は、二つ折りにして形成する必要は必ずしもないが、二つ折りに形成することによって、トレー１１を積み重ねて配置した際に、横仕切板１４及び中央天面板２０と共に、さらに安定して上方からの荷重を支持することが可能になる。
【００１６】
縦仕切用板紙２３には、折り曲げ線２４を３分割する位置において、当該折り曲げ線２４と垂直に交差して、上下に配置された辺２３ａとの間の縦幅の半分に達する長さで形成された上半切込み２５が設けられている。上半切込み２５は、縦仕切用板紙２３が折り曲げ線２４に沿って二つ折りにされて縦仕切板１３としてトレー１１に取り付けられた際に、その切込み開始部を上方に向けて開放し、当該上半切込み２５に、折り重ねた横仕切板１４と折返し横仕切板２２とを上方から容易に差し込ませることができるようになっている。また上半切込み２５は、折り重ねた横仕切板１４及び折返し横仕切板２２の厚さと略同じ幅を備えていて、横仕切板１４及び折返し横仕切板２２を嵌め込むようにしてぴったりと縦仕切板１３に装着できるようになっている。さらに、上半切込み２５の折り曲げ線２４と交差する部分の角部は、面取り部２５ａとして各々面取りされていて、横仕切板１４及び折返し横仕切板２２を上半切込み２５に案内して差込み作業をスムーズに行えるようになっている。
【００１７】
本第１実施形態では、縦仕切用板紙２３の折り曲げ線２４に沿った、一対の上半切込み２５によって挟まれる部分は、中央切込み２４ａとして、横仕切用板紙２１の厚さの略２倍の幅で切り抜かれており、この中央切込み２４ａの中央部分には、一方の側辺から中央切込み２４ａを横断するように突出して、位置決め突起片２６ａが設けられている。中央切込み２４ａが設けられていることにより、縦仕切板１３に対して横仕切板１４及び折返し横仕切板２２と共に中央天面板２０を装着する際に、当該中央天面板２０を中央切込み２４ａに落とし込むように配置することによって、中央天面板２０の上面と、これの両側の縦仕切板１３の天端部の高さを合致させ、且つ中央天面板２０の下面を縦仕切板１３の中央部分の天端部に接触させることが可能になる。これらによって、縦仕切板１３、横仕切板１４、折返し横仕切板２２及び中央天面板２０の全体を利用しながら、トレー用仕切体１０によって効率良く上段のトレー１１からの荷重を支持することが可能になる。
【００１８】
また、中央切込み２４ａの中央部分に設けられた位置決め突起片２６ａは、中央天面板２０の中央部分に形成された抜き穴２９を介して中央天面板２０の上方に突出し（図２参照）、上段のトレー１１の底部１９に設けられた積重ね係止孔４０（図１参照）に係止されることによって、複数のボトル容器１２を収容したトレー１１を複数段に積み重ねる際に、下段のトレー１１に対する上段のトレー１１の位置決めを容易に行うことが可能になる。また下段のトレー１１に対する上段のトレー１１の位置ずれが効果的に回避されて、さらに安定した状態でトレー１１を積み重ねることが可能になる。
【００１９】
縦仕切板１３と共に本第１実施形態のトレー用仕切体１０を構成する一対の横仕切板１４は、図３（ｂ）に示すように、中央天面板２０を介在させて連続する、所定の位置に折り曲げ線２７ａ，２７ｂや切込み２８を設けた実質的に横長矩形形状の１枚のダンボール製の横仕切用板紙２１を用いて形成される。すなわち、横仕切用板紙２１には、その中央に位置する、縦仕切用板紙２３に設けられた一対の上半切込み２５間の間隔に相当する幅の部分を中央天面板２０として、その両側に例えば半切れ線からなる山折り折り曲げ線２７ａが、横仕切用板紙２１の長辺２１ａ方向と垂直に延設して設けられている。この山折り折り曲げ線２７ａを介して、中央天面板２０の両側に横仕切板１４が各々連接配置されている。
【００２０】
また、山折り折り曲げ線２７ａから、縦仕切用板紙２３の折り曲げ線２４と上下の辺２３ａとの間隔に相当する長さ離れた位置に、例えば半切れ線からなる谷折り折り曲げ線２７ｂが、横仕切用板紙２１の長辺２１ａ方向と垂直に延設して設けられている。この谷折り折り曲げ線２７ｂを介して、各横仕切板１４の中央天面板２０と反対側の側縁部に、折返し横仕切板２２が各々連接配置されている。横仕切板１４を、山折り折り曲げ線２７ａを介して中央天面板２０に対して垂直に山折りすると共に、折返し横仕切板２２を、谷折り折り曲げ線２７ｂを介して横仕切板１４に対して略１８０度折り返すことにより、横仕切用板紙２１は、図１に示すような、中央天面板２０を上面に配設したコの字形状を備え、横仕切板１４と折返し横仕切板２２とが二重に折り重ねたられた立体形状に形成されることになる。
【００２１】
なお、横仕切板１４と折り重ねるようにして折返し横仕切板２２を設ける必要は必ずしもないが、折返し横仕切板２２を設けることにより、下段のトレー１１に上段のトレー１１を複数段積み重ねる際の安定性と強度を向上させることができる。特に折返し横仕切板２２の端部切断面２２ａを中央天面板２０と面一に配置することにより、上段トレー１１を積み重ねる際に底部１９の下面を端部切断面２２ａにも当接させることが好ましい。
【００２２】
本第１実施形態では、谷折り折り曲げ線２７ｂの中央部には、当該谷折り折り曲げ線２７ｂと垂直に交差して、横仕切板１４及び折返し横仕切板２２の長さの半分に達する長さで形成された下半切込み２８が設けられている。下半切込み２８は、横仕切板１４及び折返し横仕切板２２を折り重ねつつ横仕切用板紙２１をコの字形状に形成した際に、その切込み開始部を下方に向けて開放し、当該下半切込み２８に、二つ折りにされた縦仕切板１３の上半切込み２５よりも下方の部分を、下方から容易に差し込ませることができるようになっている。また下半切込み２８は、二つ折りにされた縦仕切板１３の厚さと略同じ幅を備えていて、縦仕切板１３を嵌め込むようにしてぴったりと横仕切板１４及び折返し横仕切板２２を縦仕切板１３に装着できるようになっている。さらに、下半切込み２８の谷折り折り曲げ線２７ｂと交差する部分の角部は、面取り部２８ａとして各々面取りされていて、縦仕切板１３を下半切込み２８に案内して差込み作業をスムーズに行えるようになっている。
【００２３】
また、中央天面板２０の中央部分には、コの字形状に折り曲げた横仕切用板紙２１を縦仕切板１３に装着する際に縦仕切板１３の位置決め突起片２６ａと対応する位置に、矩形状の抜き穴２９が開口形成されている。この抜き穴２９に挿通されることにより、位置決め突起片２６ａが上述のように中央天面板２０の上方に突出することになる。
【００２４】
なお、縦仕切用板紙２３には、図３における上下に配置された対向する一対の辺２３ａの中央部分に、位置決め突起片２６ａと上下に対応させるようにして位置決め凹部２６ｂを設けることが好ましい。位置決め凹部２６ｂを設けることにより、位置決め突起片２６ａが上述のように中央天面板２０の上方に突出し、さらに、上段トレー１１の底部１９から突出する場合に、突出した位置決め突起片２６ａを位置決め凹部２６ｂに係合させることによって、上段のトレー１１の縦仕切板１３と下段トレー１１の縦仕切板１３の位置ずれを効果的に回避して、さらに安定した状態でトレー１１を積み重ねることが可能になる。
【００２５】
本第１実施形態では、トレー用仕切体１０が取り付けられるトレー１１もまた、図４（ａ）〜（ｃ）に示すように、所定の位置に折り曲げ線や切り込み線を設けた実質矩形形状の一枚のトレー用ダンボール板３０を用いて形成される。すなわち、トレー用ダンボール板３０は、例えば長辺２００〜１０００ｍｍ、短辺１００〜９００ｍｍの大きさの矩形形状の底部１９と、底部１９の各長辺部分に長辺折り曲げ線３１を介して連接する長辺フラップ片３２と、底部１９の各短辺部分に短辺折り曲げ線３３を介して連接する短辺フラップ片３４と、短辺フラップ片３４の両端縁部に端部折り曲げ線３５を介して連接する挟み込みフラップ片３６とからなり、全体として略矩形形状に形成されている。
【００２６】
また、底部１９には、各長辺折り曲げ線３１に沿った位置に差込みスリット３７が各々２箇所に形成されていると共に、中央部分に積重ね係止孔４０が形成されている。差込みスリット３７には、長辺フラップ片３２を折り返し線３９に沿って内側下方に折り返した際に、長辺フラップ片３２の先端縁部に突出形成した差込み片３８が差し込まれて、トレー１１の立体形状が保持される。また積重ね係止孔４０には、トレー１１を下段のトレー用仕切体１０に支持させて載置した際に、トレー用仕切体１０の中央天面板２０から上方に突出する位置決め突起片２６ａが挿入係止される。
【００２７】
長辺折り曲げ線３１及び短辺折り曲げ線３３を介して長辺フラップ片３２及び短辺フラップ片３４を各々折り曲げることにより、これらを底板１９に対して垂直に立設させると共に（図４（ｂ）参照）、端部折り曲げ線３５を介して挟み込みフラップ片３６を短辺フラップ片３４に対して垂直に折り曲げ、しかる後に挟み込みフラップ片３６を挟み込むようにしつつ、長辺フラップ片３２を折り返し線３９に沿って内側下方に折り返して（図４（ｃ）参照）、差込み片３８を差込みスリット３７に差し込むことにより、例えば２０〜２００ｍｍの深さを有する、４方に側壁部１５ａ，１５ｂが設けられた平面四角形状のトレー１１が、容易且つ効率良く形成されることになる。
【００２８】
本第１実施形態のトレー用仕切体１０を用いて、ボトル容器１２を目視可能な状態でこれらが収容されたトレー１１を積み重ねるには、図２に示すように、縦仕切板１３と、中央天面板２０や横仕切板１４を含むコの字形状に折り曲げた横仕切用板紙２１とからなるトレー用仕切体１０をトレー１１に取り付けて、トレー１１の収容凹部１６を複数（本実施形態では６箇所）の収容部１６ａに区画すると共に、各収容部１６ａにボトル容器１２を各々装填して、トレー１１に複数のボトル容器１２を収容してなる陳列兼用のトレー梱包体５０を形成する。
【００２９】
そして、形成したトレー梱包体５０を、図５に示すように、例えばパレット５１上に縦横に整列配置すると共に、下段のトレー梱包体５０のトレー用仕切体１０によって上段のトレー梱包体５０のトレー１１からの荷重を支持させつつ、トレー梱包体５０を好ましくは例えば３〜５段程度の複数段に積み重ねてボトル容器１２を保管及び／又は陳列するためのトレー段積構造を形成し、多数のボトル容器１２の保管、運搬、陳列等に供される。
【００３０】
ここで、トレー１１の側壁部１５ａ，１５ｂは、例えば３０〜１５０ｍｍ程度の高さで立設しており、トレー用仕切体１０の縦仕切板１３及び横仕切板１４は、収容するボトル容器１２等の製品の高さと同程度、又はボトル容器１２等の製品より高い高さで立設している。ダンボール等の板紙の撓み等を考慮すると、ボトル容器１２等の天面又は最も高い位置と縦仕切板１３及び横仕切板１４との高さの差が約２ｍｍ〜５ｍｍが好ましい。このトレー１１の側壁部１５ａ，１５ｂの高さを、好ましくは収容するボトル容器１２等の製品の高さの１０％〜５０％程度の高さ、又は、縦仕切板１３及び横仕切板１４の１０％〜５０％程度の高さとする。これにより、積み重ねられたトレー梱包体５０における上段のトレー１１の側壁部１５ａ，１５ｂと下段のトレー１１の側壁部１５ａ，１５ｂとの間に相当の間隔を保持して、保管時や運搬時、陳列時においても、各段のトレー梱包体５０に収容されたボトル容器１２を、外部から容易に目視可能な状態とする。また、これによって、運搬後にボトル容器１２を移し変えたり取り出したりすることなく、そのままの積層状態で陳列に供することが可能となり、陳列時の商品の取り出しが容易となる。
【００３１】
また、本第１実施形態によれば、横仕切板１４は、中央天面板２０を介在させて１枚の横仕切用板紙２１から形成され、中央天面板２０を上面に配置したコの字形状に折り曲げられて、横仕切板１４が縦仕切板１３と交差して配置されるので、横仕切板１４が縦仕切板１３に対して垂直に交差している状態を強固に保持することができ、且つ上面に配設された中央天面板２０は、大きな支持面積で上段のトレー１１からの荷重を支持することができるので、他の補強部材等を別途用いることなく、簡易な構成で、トレー梱包体５０を複数段に積み重ねた状態を、強固且つ安定して保持することが可能になる。
【００３２】
さらに、本第１実施形態によれば、横仕切板１４は、例えば中央天面板２０や折返し横仕切板２２と共に縦仕切板１３に対して上方に引き抜くだけの簡単な作業によってトレー１１から容易に取り除くことができ、縦仕切板１３もまた、例えば横仕切板１４を引き抜いた後に上方に引き抜くだけの簡単な作業によってトレー１１から容易に取り除くことができるので、陳列後に上段のトレー梱包体５０から順次取り出されてボトル容器１２が減少してゆくのに伴って、不要となったトレー用仕切体１０やトレー１１を容易且つスムーズに取り除いてゆくことが可能になる。
【００３３】
したがって、本第１実施形態によれば、トレー用仕切体１０を用いることにより、複数のボトル容器１２を収容したトレー１１を、ボトル容器１２を目視できる状態で安定して積み重ねることを可能にすると共に、ボトル容器１２を取り出し易くし、かつ、ボトル容器１２の減少に伴って不要となった際に、トレー用仕切体１０が邪魔にならないように容易且つスムーズに取り除いてゆくことが可能になる。
【００３４】
また、本第１実施形態によれば、横仕切板１４が中央天面板２０と共にコの字形状に形成されていることにより、上方からの荷重を強固に支持することが可能なので、図６に示すように、トレー１１に複数のボトル容器１２を収容してなる陳列兼用のトレー梱包体５０を、パレット５１上に縦横に整列配置すると共に、下段のトレー用仕切体１０によって上段のトレー１１からの荷重を支持させつつ、トレー梱包体５０をパレット上に複数段に積み重ねて載置し、最上段のトレー用仕切体１０によって上段のパレット５１からの荷重を支持させつつ、トレー梱包体５０を載置したパレット５１を複数段に積み重ねてボトル容器１２の保管及び／又は陳列をするためのトレー段積構造を形成することもできる。これによって、ボトル容器１２を目視できる状態にしたまま、さらに多数のボトル容器１２を同時に保管することが可能になり、運搬、陳列等の効率化をさらに効果的に図ることが可能になる。
【００３５】
図７（ａ）は、トレー１１に取り付けて用いられる、本発明の第２実施形態に係るトレー用仕切体７０を示すものである。図７（ａ）に示すトレー用仕切体７０は、上記第１実施形態のトレー用仕切体１０と略同様の構成を備える一方で、二つ折りにされた縦仕切板１３の天端部から突出する位置決め突起片２６ａや、中央天面板２０に形成された抜き穴２９は設けられておらず、これらに代えて、横仕切位置決め突起片７１が横仕切板１４の上端中央部分から各々上方に突出して設けられている。すなわち、図７（ｂ）に示すように、横仕切用板紙２１の中央天面板２０を挟んだ両側の山折り折り曲げ線２７ａの中央部分には、折り曲げ線を設けることなく中央天面板２０側に食い込ませるようにして、コの字切込み７２を形成しておく。横仕切位置決め突起片７１は、山折り折り曲げ線２７ａを介して横仕切用板紙２１をコの字形状に折り曲げた際に、コの字切込み７２によって中央天面板２０から切り離されて、横仕切板１４の上端中央部分から各々上方に突出して設けられることになる。また図７（ａ）に示す第２実施形態では、トレー１１の底部１９には、トレー１１を上下に積み重ねる際の横仕切位置決め突起片７１と対応する位置に、一対の積重ね係止孔７３が開口形成されている。
【００３６】
図７（ａ）に示す第２実施形態のトレー用仕切体７０によっても、上記第１実施形態のトレー用仕切体１０と同様の作用効果が奏されると共に、トレー１１を下段のトレー用仕切体１０に支持させつつ積み重ねて載置する際に、横仕切板１４から上方に突出する横仕切位置決め突起片７１が一対の積重ね係止孔７３に各々挿入係止されて、上記第１実施形態の場合と同様に、下段のトレー１１に対する上段のトレー１１の位置決めを容易に行うことが可能になると共に、下段のトレー１１に対する上段のトレー１１の位置ずれが効果的に回避されて、安定した状態でトレー１１を積み重ねることが可能になる。
【００３７】
また、上述の横仕切板１４から上方に突出する横仕切位置決め突起片７１が上段のトレー１１の積み重ね係止孔７３に挿入されて、さらに上段のトレー１１の底部１６よりも上方に突出する場合には、横仕切位置決め突起片７１と対応する位置に形成された下半切込み２８の面取り部２８ａによる凹部に当該横仕切位置決め突起片７１の突出部分を係合させることによって、上段のトレー１１の横仕切板１４と下段のトレー１１の横仕切板１４の位置ずれを効果的に回避して、さらに安定した状態でトレー１１を積み重ねることが可能になる。
【００３８】
図８（ａ）は、トレー１１に取り付けて用いられる、本発明の第３実施形態に係るトレー用仕切体８０を示すものである。図８（ａ）に示すトレー用仕切体８０は、トレー１１の対向する側壁部１５ａ，１５ｂの一方１５ａと平行に配置される縦仕切板８１と、この縦仕切板８１と垂直に交差して配置される横仕切板８２とからなり、トレー１１の収容凹部１６を縦横に区画すると共に、トレー１１の側壁部１５ａ，１５ｂよりも上方に立設して上段のトレー１１からの荷重を支持する仕切体であって、横仕切板８２は、図８（ｂ），（ｃ）にも示すように、一枚の板紙を折り曲げて当該横仕切板８２とＬ字状に連接する天面板８３を備えており、横仕切板８２が縦仕切板８１と交差して配置され、天面板８３が天面部に配置されて支持面８９を形成するようになっている。
【００３９】
また、本第３実施形態によれば、天面板８３を備える少なくとも一対の横仕切板８２（本実施形態では一対）が、天面板８３の連接する側を対向させ、各天面板８３の先端縁部８３ａを突き合わせるようにしつつコの字形状を形成するように配置されている。また各横仕切板８２の天面板８３と反対側の側縁部には折返し横仕切板８４が各々連接しており、横仕切板８２と折返し横仕切板８４とを折り重ねた状態で、横仕切板８２が縦仕切板８１と垂直に交差して配置されている。
【００４０】
さらに、本第３実施形態によれば、縦仕切板８１の上端中央部分から上方に突出して、例えばＴ字形状のロック片８５が設けられており、天面板８３の先端縁部８３ａの中央部分には、ロック片８５の基端部分８５ａに嵌め込まれるようにして、先端縁部８３ａをロック片８５に係止させる係止切欠き８６が設けられている。
【００４１】
そして、縦仕切板８１に形成した上半切込み８７や、横仕切板８２及び折返し横仕切板８４に形成した下半切込み８８を介して、各横仕切板８２を縦仕切板８１と垂直に交差して配置すると共に、横仕切板８２に対して垂直に折り曲げられた天面板８３の先端縁部８３ａの係止切欠き８６をロック片８５に係止することにより、縦仕切板８１と、この縦仕切板８２と垂直に交差して配置される横仕切板８２と、天面部に配置されて支持面８９を形成する天面板８３とが一体となったトレー用仕切体８０が、安定した状態でトレー１１に取り付けられることになる。
【００４２】
本第３実施形態のトレー用仕切体８０によっても、天面部に配置された天面板８３が縦仕切板８１及び横仕切板８２と一体となって大きな支持面積の安定した支持面８９を形成して上段のトレー１１からの荷重を強固に支持することができるので、上記各実施形態のトレー用仕切体１０，７０と同様の作用効果を奏することになる。
【００４３】
なお、本発明は上記各実施形態に限定されることなく種々の変更が可能である。例えば、トレーに収容される製品は、ボトル容器である必要は必ずしも無く、その他の各種の製品を目視可能な状態で複数段に収容するべく本発明を採用することができる。また、トレーは、ダンボール製のものである必要は必ずしも無く、合成樹脂製や金属製のものであっても良い。さらに、縦仕切板を２枚以上設けたり、横仕切板を３枚以上設けてトレーの収容凹部を区画するようにしても良い。この場合には、上半切込みや下半切込みの数を適宜増減して、各横仕切板を縦仕切板と交差させて配置することができる。また、横仕切板は天面板や中央天面板を天面部に配置してコの字形状に取り付ける必要は必ずしもなく、Ｌ字状に連接して支持面となる天面板を備える横仕切板を、１枚のみ縦仕切板と交差させて配置して、本発明のトレー用仕切体を形成しても良い。さらに、位置決め突起片２６ａは一つに限定されず、複数設けてもよく、横仕切位置決め突起片７１についても上記第２実施形態に限定されず、一つ又は２対、設けても良い。
【図面の簡単な説明】
【００４４】
【図１】本発明の第１実施形態に係るトレー用仕切体をトレーに取り付ける状態を説明する分解斜視図である。
【図２】本発明の第１実施形態に係るトレー用仕切体を用いてトレーに製品を収容したトレー梱包体の斜視図である。
【図３】（ａ）は縦仕切板を形成するための板紙の平面図、（ｂ）は横仕切板を形成するための板紙の平面図である。
【図４】（ａ）〜（ｃ）は、一枚のダンボール板からトレーを形成する状況の説明図である。
【図５】トレーを複数段に積み重ねて構成されるトレー段積構造を例示する斜視図である。
【図６】トレーを複数段に積み重ねて構成されるトレー段積構造の他の形態を例示する略示斜視図である。
【図７】（ａ）は本発明の第２実施形態に係るトレー用仕切体をトレーに取り付ける状態を説明する分解斜視図、（ｂ）は横仕切板を形成するための板紙の平面図である。
【図８】（ａ）は本発明の第３施形態に係るトレー用仕切板をトレーに取り付けた状態を示す略示斜視図、（ｂ）は横仕切板の略示斜視図、（ｃ）は第３施形態のトレー用仕切板の略示側面図である。
【符号の説明】
【００４５】
１０，７０，８０  トレー用仕切体
１１  トレー
１２  ボトル容器（製品）
１３，８１  縦仕切板
１４，８２  横仕切板
１５ａ，１５ｂ  トレーの側壁部
１６  トレーの収容凹部
１９  トレーの底部
２０  中央天面板
２１  横仕切用板紙
２２，８４  折返し横仕切板
２２ａ  折返し横仕切板の端部切断面
２３  縦仕切用板紙
２４  折り曲げ線
２４ａ  中央切込み
２５，８７  上半切込み
２６ａ  位置決め突起片
２６ｂ  位置決め凹部
２７ａ  山折り折り曲げ線
２７ｂ  谷折り折り曲げ線
２８，８８  下半切込み
２８ａ  下半切込みの面取り部
２９  抜き穴
３０  トレー用ダンボール板
４０  積重ね係止孔
５０  トレー梱包体
５１  パレット
７１  横仕切位置決め突起片
７２  コの字切込み
７３  積重ね係止孔
８３  天面板
８３ａ  天面板の先端縁部
８５  ロック片
８５ａ  ロック片の基端部分
８６  係止切欠き
８９  支持面
【図１】
2006264777.tif 000003
【図２】
2006264777.tif 000004
【図３】
2006264777.tif 000005
【図４】
2006264777.tif 000006
【図５】
2006264777.tif 000007
【図６】
2006264777.tif 000008
【図７】
2006264777.tif 000009
【図８】
2006264777.tif 000010